(57)【要約】【課題】本発明は、明室におけるコントラスト比を向上させ、モアレ現象を防ぐことができるディスプレイ装置に関する。【解決手段】本発明は、視聴者側から見たときに発光領域と前記発光領域の周辺部である非発光領域とに区分される複数の発光セルを含むパネルアセンブリと、前記パネルアセンブリ上に配置されて一側に遮光パターンが形成された外光遮蔽層を備えたディスプレイフィルタとを含むディスプレイ装置を提供する。前記発光領域の面積は前記発光セルの全体面積の60％以上であり、前記遮光パターンの進行方向と前記パネルアセンブリの長辺が成すバイアス角度は5°以下である。前記外光遮蔽層はディスプレイ装置に適用され、モアレ現象を効果的に防止することができる。【選択図】図4
2010266898.tif 000002
【特許請求の範囲】
【請求項１】
透明樹脂材質の基材と、
前記基材の一面に一定周期で互いに離隔して形成された遮光パターンと
を含み、
前記遮光パターンの進行方向と前記基材の長辺が成すバイアス角度αが５°以下であることを特徴とするディスプレイフィルタ用外光遮蔽層。
【請求項２】
前記遮光パターンが、楔形−ブラックストライプ形状、楔形−ブラックマトリックス形状、楔形−ブラック波形状、フラット−ブラックストライプ形状、フラット−ブラックマトリックス形状またはフラット−ブラック波形状であることを特徴とする請求項１に記載のディスプレイフィルタ用外光遮蔽層。
【請求項３】
前記バイアス角度が１．５〜４°であることを特徴とする請求項１に記載のディスプレイフィルタ用外光遮蔽層。
【請求項４】
フィルタベースと、
透明樹脂材質の基材と、
前記基材の一面に一定周期で互いに離隔して形成された遮光パターンと
を含み、
前記遮光パターンの進行方向と前記基材の長辺が成すバイアス角度αが５°以下であることを特徴とするディスプレイフィルタ用外光遮蔽層を含むディスプレイフィルタ。
【請求項５】
視聴者側から見たときに発光領域と前記発光領域の周辺部である非発光領域とに区分される複数の発光セルを含むパネルアセンブリと、
前記パネルアセンブリ上に配置され、一側に遮光パターンが形成された外光遮蔽層を備えたディスプレイフィルタと
を含むディスプレイ装置において、
前記発光領域の面積は前記発光セルの全体面積の６０％以上であり、前記遮光パターンの進行方向と前記パネルアセンブリの長辺が成すバイアス角度が５°以下であることを特徴とするディスプレイ装置。
【請求項６】
前記バイアス角度が１．５〜４°であることを特徴とする請求項５に記載のディスプレイ装置。
【請求項７】
前記パネルアセンブリが、前面基板と、前記前面基板に対向する背面基板と、前記前面基板と背面基板との間に形成されて多数の放電空間を形成する隔壁とを含むことを特徴とする請求項５に記載のディスプレイ装置。
【請求項８】
前記パネルアセンブリが、前記放電空間の側面で面放電を引き起こす複数の電極を備えることを特徴とする請求項７に記載のディスプレイ装置。
【請求項９】
前記ＰＤＰパネルアセンブリが、
透明な前面基板と、
前記前面基板と平行に配置された背面基板と、
前記前面基板と背面基板との間に配置されて前記放電空間を区画する上側隔壁と、
前記放電空間を囲むように前記上側隔壁内に配置された第１放電電極および第２放電電極と、
前記上側隔壁と背面基板との間に配置された下側隔壁と、
前記放電空間内に配置された蛍光体層と、
前記放電空間の内部に注入されている放電ガスと
を含むことを特徴とする請求項８に記載のディスプレイ装置。
【請求項１０】
前記上層隔壁および下層隔壁は格子状であることを特徴とする請求項９に記載のディスプレイ装置。
【請求項１１】
前記前面基板または背面基板のうちいずれか１つの基板にはブラックストライプが形成されていることを特徴とする請求項７に記載のディスプレイ装置。
【請求項１２】
前記非発光領域が、前記隔壁または前記ブラックストライプに対応することを特徴とする請求項１１に記載のディスプレイ装置。
【請求項１３】
前記前面基板には放電のために透明電極パターンが形成されていることを特徴とする請求項７に記載のディスプレイ装置。
【請求項１４】
前記透明電極パターンが、前記透明電極パターンの信号遅延を防ぐために不透明な金属で成され、平面上から見たときに前記発光領域の一面に平行するように前記発光領域を通過するバス電極パターンをさらに含むことを特徴とする請求項１３に記載のディスプレイ装置。
【請求項１５】
前記バス電極パターンが、平面上から見たときに前記バス電極パターンと平行な発光領域の一面から所定距離Ｈ１だけ離隔しており、前記Ｈ１は次の数式を満たすことを特徴とする請求項１４に記載のディスプレイ装置。
Ｈ１≦０．３×Ｌ１
（前記Ｌ１は、前記バス電極パターンと平行な発光領域の一面と連結している他面の長さ）
【請求項１６】
前記外光遮蔽層が、
透明樹脂材質の基材と、
前記機材の一面に一定周期で互いに離隔して形成された遮光パターンと
を含むことを特徴とする請求項５に記載のディスプレイ装置。
【請求項１７】
前記遮光パターンが、楔形−ブラックストライプ形状、楔形−ブラックマトリックス形状、楔形−ブラック波形状、フラット−ブラックストライプ形状、フラット−ブラックマトリックス形状またはフラット−ブラック波形状であることを特徴とする請求項１６に記載のディスプレイ装置。
【請求項１８】
前記ＰＤＰフィルタが、前記パネルアセンブリの一側と粘着剤によって接合されていることを特徴とする請求項５に記載のディスプレイ装置。
【請求項１９】
視聴者側から見たときに発光領域と前記発光領域の周辺部である非発光領域とに区分される複数の発光セルを含むパネルアセンブリと、
前記パネルアセンブリの視聴者側に付着し、一側に遮光パターンが形成された外光遮蔽層と
を含むディスプレイ装置であって、
前記発光領域の面積が前記発光セルの全体面積の６０％以上であることを特徴とするディスプレイ装置。
【請求項２０】
前記遮光パターンの進行方向と前記パネルアセンブリの長辺が成すバイアス角度が５°以下であることを特徴とする請求項１９に記載のディスプレイ装置。
【発明の詳細な説明】
【技術分野】
【０００１】
本発明は外光遮蔽層およびこれを含むディスプレイ装置に関し、より詳細には、明室におけるコントラスト比（ｃｏｎｔｒａｓｔ  ｒａｔｉｏ）を向上させ、モアレ（ｍｏｉｒｅ）現象を防ぐことができる外光遮蔽層およびこれを含むディスプレイ装置に関する。
【０００２】
現代社会の高度情報化に伴い、光エレクトロニクス（ｐｈｏｔｏ  ｅｌｅｃｔｒｏｎｉｃｓ）に関する部品および機器が著しく進歩し普及している。その中でも画像を表示するディスプレイ装置は、テレビやパソコンモニターの装置用などとして普及している。また、このようなディスプレイ装置の大型化とともに薄型化が進められている。
【０００３】
一般的に、プラズマディスプレイパネル（以下、ＰＤＰとする）装置は、既存のディスプレイ装置を代表するＣＲＴ（Ｃａｔｈｏｄｅ  Ｒａｙ  Ｔｕｂｅ）に比べて大型化および薄型化を同時に満たし得る次世代型のディスプレイ装置として脚光を浴びている。このようなＰＤＰ装置は、ガス放電現象を用いて画像を表示するものであって、表示容量、輝度、コントラスト比、残像、視野角など各種の表示能力が優れている。また、ＰＤＰ装置は他のディスプレイ装置よりも大型化が容易であり、薄型の発光型ディスプレイ装置として今後の高品質デジタルテレビに最適な特性を備えていると評価されている。さらに、ＣＲＴを代替することができるディスプレイ装置として注目されている。
【０００４】
ＰＤＰ装置は、電極に印加される直流または交流電圧によって電極間のガスから放電が発生し、これに伴う紫外線の放射によって蛍光体を励起させて発光するようになる。
【０００５】
しかし、ＰＤＰ装置駆動の特性上、電磁波および近赤外線の放出量が多くて蛍光体の表面反射が高いだけでなく、封入ガスであるヘリウム（Ｈｅ）やキセノン（Ｘｅ）から放出されるオレンジ光によって色純度が陰極線管まで及ばないという短所がある。
【０００６】
したがって、ＰＤＰ装置から発生する電磁波および近赤外線によって人体に有害な影響を及ぼしたり、無線電話機やリモコンなどの精密機器に誤動作を誘発させたりもする。このようなＰＤＰ装置を用いるためには、ＰＤＰ装置から放出される電磁波や近赤外線の放出を所定値以下に抑制することが求められている。このため、電磁波および近赤外線を遮蔽するとともに反射光を減少させて色純度を向上させるために、電磁波遮蔽、近赤外線遮蔽、光表面反射防止および／または色純度改善などの機能を有するＰＤＰフィルタを採用している。
【０００７】
このようなＰＤＰ装置は、ガス放電現象が起こる放電セルを含むパネルアセンブリと、電磁波および近赤外線を遮蔽するＰＤＰフィルタとで構成される。ＰＤＰフィルタはパネルアセンブリの前面部に装着されるため、透明性も満たすものでなければならない。
【０００８】
このような従来技術に係るＰＤＰ装置において、外部が明るいという条件、すなわち明室条件では、外部環境光がＰＤＰフィルタを通過してパネルアセンブリ内に流入することがある。このような場合、パネルアセンブリ内の放電セルで発生した入射光と外部からＰＤＰフィルタを通過して流入した外部環境光との重合が発生する。この結果、明室条件ではコントラスト比が低下し、ＰＤＰ装置の画面表示能力が悪化するようになる。
【０００９】
また、従来技術に係るＰＤＰ装置の場合、ＰＤＰ装置を構成するピクセルとＰＤＰフィルタとの間の周期的なパターンの干渉によってモアレ現象が発生し、ＰＤＰ装置の画面表示能力が低下する。
【発明の概要】
【発明が解決しようとする課題】
【００１０】
本発明は、前記のような問題点を解決するために案出されたものであって、明室条件におけるコントラスト比を向上させ、モアレ現象を防ぐことができるディスプレイフィルタ用外光遮蔽層を提供することを目的とする。
【００１１】
また、本発明は、前記外光遮蔽層を含み、モアレ現象が発生しないディスプレイ装置に関することを目的とする。
【課題を解決するための手段】
【００１２】
本発明の一特徴に係るディスプレイフィルタ用外光遮蔽層は、透明樹脂材質の基材および前記基材の一面に一定周期で互いに離隔して形成された遮光パターンを含む。前記遮光パターンの進行方向と前記基材の長辺が成すバイアス角度（α）は５°以下である。
【００１３】
本発明の一特徴に係るディスプレイフィルタは、フィルタベースと、ディスプレイフィルタ用外光遮蔽層とを含む。前記外光遮蔽層は、前記基材の一面に一定周期で互いに離隔して形成された遮光パターンを含む。前記遮光パターンの進行方向と前記基材の長辺が成すバイアス角度（α）は５°以下である。
【００１４】
本発明の一特徴に係るディスプレイ装置は、視聴者側から見たときに発光領域と前記発光領域の周辺部である非発光領域とに区分される複数の発光セルを含むパネルアセンブリと、前記パネルアセンブリ上に配置されて一側に遮光パターンが形成された外光遮蔽層を備えたディスプレイフィルタとを含む。前記ディスプレイ装置は、前記発光領域の面積が前記発光セルの全体面積の６０％以上であり、前記遮光パターンの進行方向と前記パネルアセンブリの長辺が成すバイアス角度は５°以下であることを特徴とする。
【００１５】
しかし、当業者であれば、現時点で完全な１００％の発光比率を有するディスプレイ装置の具現に、現実的に困難な面があることを理解することができるであろう。
【００１６】
前記バイアス角度は、好ましくは１．５〜４°である。
【００１７】
前記パネルアセンブリは、前面基板と、前記前面基板に対向する背面基板と、前記前面基板と背面基板との間に形成されて多数の放電空間を形成する隔壁とを含む。
【００１８】
前記パネルアセンブリは、前記放電空間の側面で面放電を起す複数の電極を備えることができる。
【００１９】
具体的に、前記パネルアセンブリは、透明な前面基板と、前記前面基板と平行に配置された背面基板と、前記前面基板と背面基板との間に配置されて前記放電空間を区画する上側隔壁と、前記放電空間を囲むように前記上側隔壁内に配置された第１放電電極および第２放電電極と、前記上側隔壁と背面基板との間に配置された下側隔壁と、前記放電空間内に配置された蛍光体層と、前記放電空間内部に注入されている放電ガスとを含むことができる。前記上層隔壁および下層隔壁は格子状であり得る。
【００２０】
前記前面基板または背面基板のうちいずれか１つの基板にはブラックストライプが形成されており、前記ブラックストライプは前記非発光領域の一要素として作用することができる。すなわち、前記非発光領域は、前記隔壁または前記ブラックストライプに対応する。前記前面基板には、放電のために透明電極パターンが形成されることがある。また、前記透明電極パターンは、前記透明電極パターンの信号遅延を防ぐために不透明な金属で成され、平面上から見たときに前記発光領域の一面に平行するように前記発光領域を通過するバス電極パターンをさらに含むことができる。
【００２１】
前記バス電極パターンは、平面上から見たときに前記バス電極パターンと平行な発光領域の一面から所定距離Ｈ１だけ離隔しており、前記Ｈ１は次の数式を満たす。
【００２２】
Ｈ１≦０．３×Ｌ１
【００２３】
前記Ｌ１は、前記バス電極パターンと平行な発光領域の一面と連結している他面の長さである。
【００２４】
前記外光遮蔽層は、透明樹脂材質の基材と、前記基材の一面に一定周期で互いに離隔して形成された遮光パターンとを含む。
【００２５】
前記遮光パターンは、楔形−ブラックストライプ形状、楔形−ブラックマトリックス形状、楔形−ブラック波形状、フラット−ブラックストライプ形状、フラット−ブラックマトリックス形状またはフラット−ブラック波形状など多様な形状であり得る。
【００２６】
前記ディスプレイフィルタは前記パネルアセンブリの一側と離隔配置されることもでき、接着剤によって接合されることもできる。
【発明の効果】
【００２７】
上述したように、本発明に係るＰＤＰ装置などのディスプレイ装置は、パネルアセンブリの長辺に対して所定のバイアス角度に傾斜された遮光パターンを備えた外光遮蔽層を採用することで、前記ディスプレイ装置の明室コントラスト比を向上させるだけでなくモアレ現象を防ぐこともでき、ディスプレイ装置の表示品質を向上させることができる。
【００２８】
また、本発明に係る外光遮蔽層を備えたディスプレイフィルタは、所定の有効発光面積率を有するパネルアセンブリに適用されて、モアレ現象をパネル特異的に遮蔽することができる。
【００２９】
また、前記本発明に係る外光遮蔽層は、放電空間の側面で面放電する構造を有するＰＤＰパネルのモアレ防止のために効果的に採用されることができる。
【図面の簡単な説明】
【００３０】
【図１】本発明の一実施形態に係るＰＤＰ装置を概略的に示した分解斜視図である。
【図２】本発明の一実施形態に係るＰＤＰフィルタを示した断面図である。
【図３】図２のＰＤＰフィルタに適用される外光遮蔽層を示した斜視図である。
【図４】本発明の一実施形態に係るＰＤＰパネルアセンブリの発光セルを概念的に示した平面図である。
【図５】本発明の一実施形態に係るＰＤＰパネルアセンブリを示した斜視図である。
【図６】図５のＰＤＰパネルアセンブリの発光セルを概念的に示した平面図である。
【図７】本発明の他の実施形態に係るＰＤＰパネルアセンブリを示した分離斜視図である。
【図８】図７のＩ−Ｉ’線に沿って切断した断面図である。
【発明を実施するための形態】
【００３１】
以下、添付の図面参照して、本発明の実施形態に係るディスプレイ装置について説明する。具体的に、本実施形態においては、ＰＤＰ装置について説明する。したがって、本発明のディスプレイフィルタとしては、ＰＤＰフィルタが用いられる。
【００３２】
図１は、本発明の一実施形態に係るＰＤＰ装置を概略的に示した分解斜視図である。
【００３３】
図１を参照すれば、本発明の実施形態に係るＰＤＰ装置１００は、ケース１１０の上部を覆うカバー１５０と、ケース１１０内に収容される駆動回路基板１２０と、ガス放電現象が起こる発光セルを含むパネルアセンブリ１３０と、ＰＤＰフィルタ１４０とで構成される。ＰＤＰフィルタ１４０には透明基板上に導電性が優れた材料で形成された導電層が備えられており、該導電層はカバー１５０を介してケース１１０に接地する。すなわち、パネルアセンブリ１３０から発生した電磁波が視聴者に逹する前に、これをＰＤＰフィルタ１４０の導電層を介してカバー１５０とケース１１０にる。
【００３４】
以下、前記ＰＤＰフィルタについて詳しく説明する。
【００３５】
図２は、本発明の一実施形態に係るＰＤＰフィルタを示した断面図である。図３は、図２のＰＤＰフィルタに適用される外光遮蔽層を示した斜視図である。
【００３６】
図２を参照すれば、本発明の一実施形態に係るＰＤＰフィルタ２００は、透明基板２１０に多様な遮蔽機能などを有する層が形成されたフィルタベース２７０と、外光遮蔽層２３０とを含む。
【００３７】
ここで、フィルタベース２７０は、透明基板２１０と、反射防止層２５０と、電磁波遮蔽層２２０とがランダムに積層されて形成される。以下、本発明の一実施形態では、電磁波遮蔽機能、反射防止機能に対応する層をそれぞれ個別に分離して説明するが、本発明はこれに限定されるものではない。すなわち、本発明の一実施形態に係るフィルタベース２７０は、１つまたはそれ以上の層で構成されることができ、各層は電磁波遮蔽機能、反射防止機能またはこれらを組み合わせた機能を有することができる。また、フィルタベース２７０は、前述した電磁波遮蔽機能、反射防止機能またはこれらを組み合わせた機能をすべて有しても良いし、このうちいずれか１つのみを有しても良い。
【００３８】
前記フィルタベース２７０の一面には外光遮蔽層２３０が配置されている。前記外光遮蔽層２３０はフィルタベース２７０のパネルアセンブリ側の面、すなわちＰＤＰフィルタ２００がＰＤＰ装置に装着されたときに視聴者側と反対になる面に配置されているが、本発明はこれに限定されるものではなく、フィルタベース２７０の他面に外光遮蔽層２３０が配置されても良い。
【００３９】
前記外光遮蔽層２３０は、支持体２３２と、支持体２３２の一面に形成された基材２３４と、基材２３４内に形成されて外部からパネルアセンブリに流入する外部環境光３２０を遮蔽する遮光パターン２３６とを含む。本実施形態において、遮光パターン２３６は、一定周期で互いに離隔して配置された多数の楔形ブラックストライプ（ｂｌａｃｋ  ｓｔｒｉｐｅ）で構成される。本実施形態において、前記楔形ブラックストライプの底面は、パネルアセンブリ側に向かって前記基材に形成されている。
【００４０】
ここで、遮光パターン２３６が形成された基材２３４は、フィルタベース２７０に直接形成されても良いが、図２に示すように、支持体２３２に基材２３４を形成した後にフィルタベース２７０に結合しても良い。前記支持体２３２は、遮光パターン２３６が形成された基材２３４を支持する役割を行う。図２に示された実施形態では、基材２３４とフィルタベース２７０の一面が支持体２３２を媒介として結合されているが、本発明はこれに限定されるものではない。すなわち、支持体２３２は基材２３４を支持する役割を目的とするため、外光遮蔽層２３０がフィルタベース２７０の他面に配置される場合には、基材２３４とフィルタベース２７０が直接結合されることもできる。
【００４１】
本発明の一実施形態において、支持体２３２は、紫外線透過性を有する透明な樹脂フィルムであることが好ましい。支持体２３２の材質の例としては、ポリエチレンテレフタレート（Ｐｏｌｙ  Ｅｔｈｙｌｅｎｅ  Ｔｅｒｅｐｈｔｈａｌａｔｅ：ＰＥＴ）、ポリカーボネート（Ｐｏｌｙ  Ｃａｒｂｏｎａｔｅ：ＰＣ）、ポリ塩化ビニル（ＰＶＣ）などが用いられる。もちろん、支持体２３２としては、フィルタの固有機能を有する膜、例えば、反射防止層２５０、色補正層２４０または電磁波遮蔽層２２０などを用いることもできる。
【００４２】
また、遮光パターン２３６は断面が楔形であり、パネルアセンブリ（図示せず）に対向する基材２３４の一面に一定周期で多数のブラックストライプパターンが互いに離隔して形成され、外部環境光３２０がパネルアセンブリ内部に流入することを防ぐ役割を行う。
【００４３】
基材２３４は紫外線硬化性樹脂で形成され、遮光パターン２３６は光を吸収することができる黒色有機物、無機物、または金属などで形成される。特に、金属の場合には電気伝導度が高く、すなわち電気抵抗が低いため、金属粉末を添加して遮光パターン２３６を形成する場合には金属粉末の濃度によって電気抵抗の調節が可能であるため、遮光パターン２３６は電磁波遮蔽機能を遂行することができる。さらに、表面が黒く処理された、または黒色の金属を用いる場合には、外光遮蔽機能および電磁波遮蔽機能を効率的に具現することができる。また、遮光パターン２３６には炭素を含む紫外線硬化性樹脂を用いることもできる。
【００４４】
本発明の遮光パターン２３６は、ロール成形法、熱可塑性樹脂を用いた熱プレス（ｐｒｅｓｓ）法、遮光パターン２３６とは反対の形状が転写された基材２３４内に熱可塑性または熱硬化性樹脂を充填して成形する射出成形法などによって形成することができる。また、基材２３４を構成する紫外線硬化性樹脂が反射防止機能、電磁波遮蔽機能、色調節機能またはこれらを組み合わせた機能を有している場合、外光遮蔽層２３０は付加的に前記のような機能を遂行することもできる。
【００４５】
前記外光遮蔽層２３０を構成する遮光パターン２３６は、外部環境光３２０を吸収してパネルアセンブリに流入することを防ぎ、パネルアセンブリからの入射光３１０を視聴者側に全反射する役割を行う。したがって、可視光線に対する高い透過率と高いいコントラスト比を得ることができる。
【００４６】
ＰＤＰ装置は、可視光線に対する高い透過率と高いコントラスト比を有することが好ましい。ここで、コントラスト比は、下記の数１のように示すことができる。
【００４７】
【数１】
2010266898.tif 000003
【００４８】
ＰＤＰ装置の透過率を高めるために、パネルアセンブリから放出される光をＰＤＰフィルタで
ろ過せずに通過させる場合、白色光の輝度だけでなく黒色光の輝度も高くなる。したがっ
て、ＰＤＰ装置の輝度を高める場合には全体的なコントラスト比が相対的に低くなる。従来
技術に係るＰＤＰ装置の場合、黒色色素を含む色補正フィルムを含むＰＤＰフィルタを用いてＰＤ
Ｐフィルタの透過率をある程度低める代わりにコントラスト比を高める方法を採用してい
る。このような従来技術に係るＰＤＰ装置の場合には、約１２０：１のコントラスト比が得られ
る。
【００４９】
本発明のＰＤＰフィルタ２００は、黒色色素を含む色補正フィルムを用いる代わりに光を吸収する遮光パターン２３６を用いている。ここで、遮光パターン２３６は、パネルアセンブリから放出される入射光３１０を一部吸収し、白色光および黒色光の輝度を所定の部分低めることでコントラスト比を高める役割を行う。また、数式１によれば、コントラスト比は反射光の輝度に対する関数であるが、反射光は外部環境光３２０がパネルアセンブリに流入した後に反射した光を含む。ここで、外部環境光３２０は、遮光パターン２３６に直接吸収されたりパネルアセンブリに反射が起きたりしても再び遮光パターン２３６に吸収されるため、反射光の輝度を低めることができる。したがって、黒色光と白色光に対して同じ反射光が生成されたとしても、数式１の分母に位置する「反射光の輝度」が低くなるため、コントラスト比を高めることができる。
【００５０】
基材２３４の一面に対して遮光パターン２３６の底面が占める面積の比率が２０〜５０％であるときに、透過量の損失を最小に抑えながら最大のコントラスト比を得ることができる。より好ましくは、基材２３４の一面に対して遮光パターン２３６の底面が占める面積の比率が２５〜３５％であるときにより良い効果を得ることができる。このような外光遮蔽層２３０を含むＰＤＰフィルタ２００を用いたＰＤＰ装置の場合には、可視光線に対する透過率を４０％以上に維持した状態で２５０：１以上のコントラスト比を得ることができる。
【００５１】
一方、外光遮蔽層２３０は、それ自体が可視光線の波長帯で６０％以上の透過率を有する。パネルアセンブリからの入射光３１０は外光遮蔽層２３０に対してほぼ垂直方向に入射し、このうち一部の入射光３１０は遮光パターン２３６に吸収されるが、大部分の入射光３１０は基材２３４を通過して透過するため、ＰＤＰ装置の透過率を高める要因となる。
【００５２】
再び図２を参照すれば、フィルタベース２７０は、透明基板２１０の一面に形成された電磁波遮蔽層２２０と、透明基板２１０の他面に形成された反射防止層２５０などが積層された構造を有する。ただし、本発明はこのような積層順に限定されるものではなく、フィルタベース２７０は、透明基板２１０、反射防止層２５０または電磁波遮蔽層２２０がランダムに積層された構造を有することができる。
【００５３】
ここで、透明基板２１０は、一般的にガラスまたはアクリルのような透明プラスチック材料を用いて製造される。ただし、フィルタベース２７０の仕様によっては、このような透明基板２１０が除外されることもある。
【００５４】
本発明の一実施形態において、透明基板２１０としては、ガラスや石英などのような無機化合物成形物と透明な有機高分子成形物とを挙げることができる。
【００５５】
有機高分子成形物で成された透明基板２１０としては、アクリルやポリカーボネートが一般的に用いられるが、本発明はこのような実施形態に限定されるものではない。透明基板２１０は高透明性や耐熱性を有するものが好ましく、高分子成形物および高分子成形物の積層体を透明基板２１０として用いることもできる。透明基板２１０の透明性に関しては可視光線の透過率が８０％以上であるものが好ましく、耐熱性に関してはガラス転移温度が５０度以上であるものが好ましい。高分子成形物は可視波長領域において透明であれば良く、この種類の具体的な例としては、ポリエチレンテレフタレート（ＰＥＴ）、ポリスルホン（ＰＳ）、ポリエーテルスルホン（ＰＥＳ）、ポリスチレン、ポリエチレンナフタレート、ポリアリレート、ポリエーテルエーテルケトン（ＰＥＥＫ）、ポリカーボネート（ＰＣ）、ポリプロピレン（ＰＰ）、ポリイミド、トリアセチルセルロース（ＴＡＣ）、ポリメチルメタクリレート（ＰＭＭＡ）などを挙げることができるが、これらに限定されるものではない。そのうち価格、耐熱性、透明性の面において、ポリエチレンテレフタレート（ＰＥＴ）が好ましい。
【００５６】
また、電磁波を遮蔽するためには、ディスプレイ表面を導電性が高い物体で覆う必要がある。本発明の一実施形態に係る電磁波を遮蔽するための電磁波遮蔽層２２０としては、導電性メッシュフィルムまたは金属薄膜と高屈折膜透明薄膜とを積層した多層透明導電膜を用いることができる。本発明の一実施形態において、電磁波遮蔽層２２０は透明基板２１０の一面、すなわちパネルアセンブリ側の面に形成されているが、本発明はこのような配置に限定されるものではない。
【００５７】
ここで、導電性メッシュフィルムとしては、接地した金属メッシュまたは合成樹脂や金属纎維のメッシュに金属被服したものが一般的に用いられる。導電性メッシュフィルムを構成する金属材質の例としては、銅、クロム、ニッケル、銀、モリブデン、タングステン、アルミニウムなど電気導電性が優れており加工性がある金属であればすべて使用が可能である。
【００５８】
また、多層導電膜は、ＩＴＯ（Ｉｎｄｉｕｍ  Ｔｉｎ  Ｏｘｉｄｅ）に代表される高屈折透明薄膜を電磁波遮蔽のために用いることができる。多層透明伝導膜としては、金、銀、銅、白金、パラジウムなどの金属薄膜と、酸化インジウム、酸化第２スズ、酸化亜鉛などの高屈折透明薄膜を交互に積層した多層薄膜などが挙げられる。
【００５９】
金属薄膜は銀（Ａｇ）または銀を含んだ合金で成された薄膜層である。その中でも銀は、導電性、赤外線反射性および多層積層をしたときに可視光線透過性が優れているため好ましく用いることができる。しかし、銀は化学的かつ物理的な安全性が低く、周囲環境の汚染物質、水蒸気、熱、光などによって劣化するため、銀に金、白金、パラジウム、銅、インジウム、スズなどの周囲環境に安定的な金属を１種以上含んだ合金も好ましく用いられる。
【００６０】
また、高屈折率透明薄膜層は可視光線に対して透明性を有しており、金属薄膜との屈折率の差により、金属薄膜によって可視光線が反射することを防ぐ効果を有する。このような高屈折率透明薄膜を形成する具体的な材料としては、インジウム、チタン、ジルコニウム、ビズマス、スズ、亜鉛、アンチモン、タンタル、セリウム、ネオジウム、ランタン、トリウム、マグネシウム、カリウムなどの酸化物やこれら酸化物の混合物、または硫化亜鉛などを挙げることができる。
【００６１】
図示してはいないが、本発明の一実施形態に係るフィルタベース２７０は、別途で近赤外線遮蔽層を含むことがある。近赤外線遮蔽層は、パネルアセンブリから発生して無線電話機やリモコンなどの電子機器の誤動作を引き起こす強力な近赤外線を遮蔽する役割を行う。
【００６２】
本発明の一実施形態において、電磁波遮蔽層２２０として金属薄膜と高屈折率透明薄膜とを積層した多層透明導電膜を用いる場合は、多層透明導電膜が近赤外線を遮蔽する効果がある。したがって、この場合は、近赤外線遮蔽層を別途で形成しなくても、電磁波遮蔽層２２０だけで近赤外線と電磁波とを遮蔽する２つの機能を遂行することができる。もちろん、この場合でも、後述する近赤外線遮蔽層を別途で形成することもできる。
【００６３】
本発明の一実施形態において、電磁波遮蔽層２２０として導電性メッシュフィルムを用いる場合は、パネルアセンブリで放出される近赤外線を遮蔽するために、近赤外線領域の波長を吸収する近赤外線吸収色素を含んだ高分子樹脂を用いることができる。例えば、近赤外線吸収色素としては、シアニン系、アントラキノン系、ナフトキノン系、フタロシアニン系、ナフタロシアニン系、ジイモニウム系、ニッケル−ジチオール系など多様な成分の有機染料を用いることができる。ＰＤＰ装置は広い波長領域に渡って強力な近赤外線を発するため、広い波長領域に渡って近赤外線を吸収することができる近赤外線遮蔽層を用いる必要がある。
【００６４】
本発明の一実施形態において、電磁波遮蔽層２２０として透明導電膜を用いる場合は、導電性メッシュフィルムを用いる場合より電磁波遮蔽機能が低下することがあるが、遮光パターン２３６に金属粉末を添加して電磁波遮蔽機能を補完または強化すれば、透明導電膜でも充分な電磁波遮蔽機能を具現することができる。
【００６５】
本発明の一実施形態に係る反射防止層２５０は、透明基板２１０の他面に形成されるが、本発明はこのような積層順に限定されるものではない。好ましくは、図２に示すように、反射防止層２５０は、ＰＤＰフィルタ２００がＰＤＰ装置に装着されたときに視聴者側となる面、すなわちパネルアセンブリ側とは反対側の面に形成されることが効率的である。このような反射防止層２５０は外部光の反射を減らし、視認性を良くすることができる。
【００６６】
もちろん、反射防止層２５０をＰＤＰフィルタ２００の周面のうちパネルアセンブリ側となる面にも形成することにより、ＰＤＰフィルタ２００の外光反射をさらに減らすことができる。また、反射防止層２５０を形成してＰＤＰフィルタ２００の外光反射を減らすことでパネルアセンブリからの可視光線透過率を向上させ、コントラスト比を高めることができる。
【００６７】
再び図２を参照すると、本発明の一実施形態に係るＰＤＰフィルタ２００は、色補正層２４０をさらに含むことができる。前記色補正層２４０は赤色（Ｒ）、緑色（Ｇ）、青色（Ｂ）の量を減少したり調節したりすることで、色均衡を変化させたり校正することができる。
【００６８】
パネルアセンブリからオレンジ色が強く放出される要因としては、プラズマ自体から出る光と外部環境光とがパネルアセンブリで再反射して出る光がオレンジ色を帯びる傾向があるためである。本発明の一実施形態に係るＰＤＰフィルタ２００は、外光遮蔽層２３０を形成して外部環境光３２０がパネルアセンブリに流入することを遮蔽することで、オレンジ色の入射光３１０の量を根本的に減らすことができるようになる。したがって、本発明のＰＤＰフィルタ２００は、追加的にオレンジ色を色補正するための色素の使用量を減らしたり使用したりしなくても、色純度を向上させることができる。例えば、明室（１５０ルクス）においてＲＧＢ色相を中間調表示（５０ＩＲＥ）としておき、各色相に対して測定器で色座標を求めて、固有の色相の色座標に対する面積と測定された色座標の面積の比率を求めれば、パネルアセンブリで直接測定するときには６６％の面積の比率を得ることに比べて、ＰＤＰフィルタ２００を介して測定するときには８６％の面積の比率を有するようになり、高い色純度が得られることを知ることができる。
【００６９】
色補正層２４０はディスプレイの色再現範囲を増加させ、画面の鮮明度を向上させるために多様な色素を用いる。このような色素としては、染料あるいは顔料を用いることができる。色素の種類は、アントラキノン系、シアニン系、アゾ系、スチリル系、フタロシアニン系、メチン系などのネオン光遮蔽機能を有する有機色素があるが、本発明はこれに限定されるものではない。色素の種類と濃度は、色素の吸収波長、吸収係数、ディスプレイで要求される透過特性によって決定されるため、特定数値に限定されて用いられることはない。
【００７０】
本発明の各層または膜を接着するときには、透明な粘着剤または接着剤を用いることができる。具体的な材料としては、アクリル系接着剤、シリコン系接着剤、ウレタン系接着剤、ポリビニルブチラール接着剤（ＰＭＢ）、エチレン−酢酸ビニル系接着剤（ＥＶＡ）、ポリビニルエーテル、飽和無定形ポリエステル、メラミン樹脂などを挙げることができる。
【００７１】
パネルアセンブリが有する周期的パターン（発光セル構造、電極パターンなど）と外光遮蔽層２３０の遮光パターン２３６の周期的パターンとによってモアレ縞（ｍｏｉｒｅ  ｆｒｉｎｇｅ）が生じることがある。モアレ縞とは、２つ以上の周期的なパターン（ｐｅｒｉｏｄｉｃ  ｐａｔｔｅｒｎ）が重なるときに生成される干渉縞（ｉｎｔｅｒｆｅｒｅｎｃｅ  ｆｒｉｎｇｅ）を意味する。このような放電セルと外光遮蔽層との間の干渉現象によるモアレ縞を遮蔽するために、図３に示すように、遮光パターン２３６の延長線と基材２３４の長辺が所定の角度αを持つように交差して配置している。ここで、モアレ縞を効果的に遮蔽するためには、遮光パターン２３６の延長線と基材２３４の長辺が成す交差角として定義されるバイアス角度（ｂｉａｓ  ａｎｇｌｅ：α）を、パネルアセンブリの構造によってその有効値を変化させる。後述する本発明のパネルアセンブリのモアレ防止のために前記バイアス角度は５°以下でなければならず、好ましくは１．５〜４°の範囲内でなければならない。前記バイアス角度は、パネルアセンブリの長辺（視聴者を基準として横方向）に対する遮光パターン２３６の交差角として理解されても良い。
【００７２】
前記のように、遮光パターン２３６が所定のバイアス角度（５°以下）を持つようになれば、パネルアセンブリの各種パターンおよび前記遮光パターン２３６のピッチなどから影響を殆ど受けることなく、ＰＤＰ装置のモアレ現象を効果的に遮蔽することができる。
【００７３】
以下、本発明に係るパネルアセンブリについて詳しく説明する。特に、以下で説明するパネルアセンブリは、前記バイアス角度によるモアレ現象の防止が有効的に適用される特徴を有している。
【００７４】
本発明に係るパネルアセンブリは複数の発光セルを含む。前記発光セルは、パネルアセンブリの前面基板と背面基板との間に形成される領域である。前記発光セルは、視聴者側から見たときに発光する発光領域と発光領域の周辺部である非発光領域とに区分される。本発明において、前記発光領域とは、放電ガスが放電する空間である放電空間と完全に一致する概念ではない。
【００７５】
すなわち、放電空間は格子状によって多様化することができるが、前記発光セルは１つの光学的な単位ピクセルとしての概念である。これとは異なり、前記放電空間はパネルアセンブリの隔壁形態、例えば、ストライプ形状の隔壁、格子形状の隔壁などの形態によって多様化する。
【００７６】
図４は、本発明の一実施形態に係るパネルアセンブリの発光セルを概念的に示した平面図である。図４に示された発光セルは、視聴者側から見たときの平面的な様子を示したものである。
【００７７】
図４を参照すれば、発光セル４０は、発光領域４２と非発光領域４４とに区分される。前記発光セル４０は、互いに隣り合って連続して形成されている。前記図４は同一層上の様子でないことがある。すなわち、図４は、視聴者側から観測される発光セル４０の様子を示した図である。
【００７８】
前記発光領域４２はそれぞれ赤色発光領域、緑色発光領域および青色発光領域であったりする。前記３つの互いに異なる色相を発現する発光領域が１つのグループを成して多様なカラーを具現することができるカラーピクセルとして機能することができる。
【００７９】
前記非発光領域４４が格子状の隔壁を有するパネルアセンブリの場合には、隔壁の一部に対応する領域であり得る。一方、ストライプ形状の隔壁を有するパネルアセンブリの場合には、前記非発光領域４４は、一部の隔壁に対応する領域または前面基板に形成されたブラックストライプの一部に対応する領域であり得る。すなわち、前記非発光領域４４は、視聴者側から見たときに黒く表示される部分である。例えば、ストライプ形状の隔壁を有するパネルアセンブリの場合、図４における縦方向の非発光領域４４ａは隔壁であり、横方向の非発光領域４４ｂは前面基板に形成された遮光パターン（ブラックストライプ）であったりする。
【００８０】
本発明に係るパネルアセンブリの場合、前記発光領域４２の面積は、発光セル４０の全体面積の６０〜９８．９％である。前記発光セル４０の全体面積に対する発光領域４２の面積比率は、理論的ではあるが、１００％の有効発光面積の比率を有する場合も含む。すなわち、前記面積の比率が増加するほど黒く見える部分が減り、反対に前記面積の比率が減少するほど有効発光面積も減るようになる。
【００８１】
前記のような面積の比率を有するパネルアセンブリおよび上述した５°以下のバイアス角度を有する外光遮蔽層を備えたＰＤＰ装置の場合、明室コントラスト比が優れているだけでなくモアレ現象が発生しない。すなわち、前記面積の比率が６０％未満であれば、５°以下のバイアス角度を有する外光遮蔽層の場合であってもモアレ現象が発生し得るし、反対に前記面積の比率の範囲を満たしていても前記バイアス角度が５°を超過すればモアレ現象が発生し得る。
【００８２】
本実施形態においてはＰＤＰ装置を中心として説明したが、本発明の外光遮蔽層はＰＤＰ装置でなくても、発光領域が発光セルの全体面積の６０％以上である一般的なディスプレイ装置に適用することができる。すなわち、当業者であれば、液晶表示装置などのモアレ防止のために、本発明に係る外光遮蔽層を容易に適用することができるであろう。
【００８３】
図５は、本発明の一実施形態に係るＰＤＰパネルアセンブリを示した分離斜視図である。
【００８４】
本実施形態に係るＰＤＰパネルアセンブリ５００は、交流型３電極面放電プラズマディスプレイパネルであり、前記ＰＤＰパネルアセンブリ５００は、前面基板５２０と背面基板５３０とを備える。
【００８５】
背面基板５３０には、アドレス放電を発生させるアドレス電極５３３と、前記アドレス電極が埋められた背面誘電体層５３５と、放電空間を区画する隔壁５３７と、前記隔壁の両側および前記隔壁が形成されない背面基板に塗布された蛍光体層５３９とが形成される。本実施形態において、前記隔壁５３７はストライプ形状である。
【００８６】
前記背面基板５３０と離隔および対向して配置された前面基板５２０には、維持放電を発生する共通および走査電極５２２、５２３と、前記共通および走査電極５２２、５２３が埋められた前面誘電体層５２５と、保護層５２９が備えられる。
【００８７】
前記共通電極５２２は、透明共通電極５２２ａと前記透明共通電極の一側に配置されたバス共通電極５２２ｂとを含む。また、前記走査電極５２３は、透明走査電極５２３ａの一側に配置されたバス走査電極５２３ｂを含む。
【００８８】
本実施形態において、前記隔壁５３７は、視聴者を基準としてパネルアセンブリ５００の縦方向に延長しており、共通および走査電極５２２、５２３は前記隔壁５３７と垂直に延長するようにパターニングされている。したがって、上述した外光遮蔽層は、遮光パターンのバイアス角度が前記共通および走査電極の延長方向、すなわち前記パネルアセンブリ５００の横方向に対して５°以下を有するように前記パネルアセンブリ５００の出射面上に配置される。
【００８９】
図６は、図５のＰＤＰパネルアセンブリの発光セルを概念的に示した平面図である。すなわち、図５のパネルアセンブリを視聴者側から見たときの様子を示した図である。
【００９０】
図６に示すように、複数の発光セル６０を含む。前記発光セル６０は、発光領域６２と非発光領域６４とに区分される。また、図６には、前記前面基板５２０のバス共通電極５２２ｂおよびバス走査電極５２３ｂが黒く示されている。前記バス電極５２２ｂ、５２３ｂは不透明な金属で成されていて光を透過することができないため、視聴者側から見るときには黒く示されるようになる。
【００９１】
上述したように、本実施形態に係るＰＤＰパネルアセンブリ５００の発光領域６２の面積は、全体の発光セル６０の面積に比べて６０％以上の面積を有することにより、上述した所定のバイアス角度（５°以下）を有する外光遮蔽層が本パネルアセンブリに有効に適用され、モアレ現象の発生を効果的に遮蔽することができる。しかし、前記バイアス角度を有する外光遮蔽層は、効果的な差はあるものの、前記発光領域６２の面積比率から脱した他のディスプレイ装置に適用され、所定の水準以上のモアレ抑制機能を遂行することができる。
【００９２】
ただし、前記外光遮蔽層の適用を介したモアレ防止効果は、上述したように発光領域６２の面積比率が少なくとも６０％以上であるディスプレイ装置に適用されることによって、より特異的にモアレ防止効果を示すことができる。
【００９３】
さらに、前記バス電極５２２ｂ、５２３ｂは、前記バス電極５２２ｂ、５２３ｂと平行な位置と隣り合う発光領域面６２ａに近く配置されている。具体的に、前記バス電極５２２ｂ、５２３ｂと隣り合う発光領域面６２ａ（非発光領域）との間の離隔距離Ｈ１は、前記バス電極５２２ｂ、５２３ｂの延長方向と直交する発光領域面６２ｂの長さＬ１の３０％以内となるように配置されることができる。
【００９４】
言い換えれば、前記バス電極の配置関係が下記の数式２を満たすパネルアセンブリである場合、本発明に係る外光遮蔽層の適用を介してモアレ現象を効率的に遮蔽することができる。
【００９５】
〔数２〕
Ｈ１≦０．３×Ｌ１
【００９６】
上述とは異なる角度で説明すれば、前記Ｈ１は前記バス電極と前記バス電極と平行な非発光領域（発光領域面）までの距離であり、前記Ｌ１は前記非発光領域と直交する発光領域面の長さである。
【００９７】
このようなバス電極５２２ｂ、５２３ｂの配置関係を有するＰＤＰパネルアセンブリは、上述した所定の角度を有する遮光パターンを備えた外光遮蔽層の適用を介して、モアレ現象を発生させないようにする。
【００９８】
図７は、本発明の他の実施形態に係るＰＤＰパネルアセンブリを示した分離斜視図である。図８は、図７のＩ−Ｉ’線に沿って切断した断面図である。
【００９９】
図７は、放電空間の側面で面放電を引き起こす他の形態のＰＤＰパネルアセンブリ７００を示したものである。本発明に係る所定のバイアス角度（５°以下）を有する遮光パターンを備えた外光遮蔽層は、本実施形態に係るＰＤＰパネルアセンブリ７００に適用され、より効果的にモアレ現象を防ぐことができる。
【０１００】
図７および図８を参照すると、本実施形態に係るＰＤＰパネルアセンブリ７００は、前面基板７２０および背面基板７３０を含み、前記前面基板７２０および背面基板７３０は互いに平行するように離隔配置される。前記前面基板７２０には上側隔壁７２７が形成されている。前記上側隔壁７２７は非放電部に配置されて放電空間を区画する。前記上側隔壁７２７内には、上側放電電極７２２と下側放電電極７２３が前記発光領域を囲むように形成される。この場合、上側放電電極７２２は、下側放電電極７２３の上側に配置された電極を意味する。本実施形態において、前記隔壁７２７は格子状であるため、前記放電空間は発光領域に対応する概念として理解される。
【０１０１】
前記上側隔壁７２７と背面基板７３０との間には下側隔壁７３７が形成されており、前記下側隔壁７３７は荷電粒子のクロストークを防ぐ。前記下側隔壁７３７によって限定される空間内には蛍光体層７３９が配置される。前記放電空間内には放電ガスが存在する。
【０１０２】
ここで、上側放電電極７２２と下側放電電極７２３のうちいずれか１つがアドレス電極の役割をし、他の１つが放電電極の役割をして放電を発生させることができる。
【０１０３】
これとは異なり、図７および図８に示すように、前記上側放電電極７２２と下側放電電極７２３が互いに平行に一方向に延長し、前記上側放電電極７２２および下側放電電極７２３と対向しないように延長したアドレス電極７３３をさらに備えることもできる。この場合には、前記上側隔壁７２７の側面がＭｇＯ膜７２９によって覆われており、前記アドレス電極７３３が背面基板１３０と蛍光体層７３９との間に配置され、前記アドレス電極７３３と蛍光体層７３９との間には誘電体層７３５が形成されることが好ましい。
【０１０４】
このようなＰＤＰ構造の１つの例をさらに具体的に説明すれば、背面基板７３０と、前記背面基板の上側に配置されて一方向に延長したアドレス電極７３３と、前記アドレス電極を覆う誘電体層７３５と、前記誘電体層の上側に形成されて放電空間Ｃを区画する下側隔壁７３７と、前記放電空間の上側を囲んで前記アドレス電極と交差するように延長した下側放電電極７２３と、前記放電空間の上側を囲んで前記走査電極と水平に延長した上側放電電極７２２と、前記上側放電電極と下側放電電極とを覆う上側隔壁７２７と、前記放電空間の下側で隔壁の側面および前記隔壁が配置されない誘電体層上に配置された蛍光体層７３９と、前記発光セル内に存在する放電ガスと、前記上側隔壁上に背面基板と平行するように配置された前面基板７２０とを備える。
【０１０５】
前記背面基板７３０はアドレス電極７３３や誘電体層７３５などを支持し、通常はガラスを主成分とする材料で製造される。
【０１０６】
前記アドレス電極７３３は、前記下側放電電極７２３と上側放電電極７２２との間の維持放電をより容易にするためのアドレス放電を引き起こすためのものであり、より具体的には維持放電が開始される電圧を低める役割をする。
【０１０７】
背面基板７３０にアドレス電極７３３が形成される場合には、上側放電電極が走査電極であり、下側放電電極が共通電極である場合もある。しかし、上側放電電極７２２が共通電極であり、下側放電電極７２３が走査電極であるのがより好ましい。これは、前記走査電極とアドレス電極７３３との間のアドレス放電が円滑に起こるためには、走査電極が共通電極の下側に配置するのが好ましいためである。したがって、ここでは説明の便宜のために、上側放電電極７２２を共通電極と称し、下側放電電極７２３を走査電極と称する。
【０１０８】
本実施形態において、走査電極７２３と共通電極７２２は、放電空間Ｃの上側を囲むように配置される。前記放電空間の上側とは、下側隔壁７３７より高い位置ある部分を意味する。
【０１０９】
前記走査電極７２３と共通電極７２２は互いに交差するように配置されることもできる。しかし、背面基板にアドレス電極７３３が形成される場合には、前記走査電極７２３と共通電極７２２は互いに平行に配置されることが好ましい。
【０１１０】
また、図７では、走査電極７２３と共通電極７２２がそれぞれ１つの電極として形成されているが、これとは異なり、走査電極と共通電極がそれぞれ２つ以上の副電極を備えることもできる。
【０１１１】
前記アドレス放電とは、走査電極７２３とアドレス電極７３３との間に起こる放電であって、アドレス放電が終了すれば走査電極７２３側には陽イオンが蓄積され、共通電極７２２側には電子が蓄積される。これにより走査電極と共通電極との間の維持放電がより容易になる。
【０１１２】
前記誘電体層７３５は、放電するときに陽イオンまたは電子がアドレス電極７３３に衝突してアドレス電極を損傷させることを防ぎながらも電荷を誘導することができる誘電体として形成される。このような誘電体としてはＰｂＯ、Ｂ２Ｏ３、ＳｉＯ２などがある。
【０１１３】
前記下側隔壁７３７は、単位ピクセルを構成する赤色発光サブピクセル、緑色発光サブピクセル、および青色発光サブピクセルのうち１つのサブピクセルに該当する放電空間Ｃの間に誤放電が起こるのを防ぐ。図７には下側隔壁７３７が放電空間をマトリックス形態で区画するものとして示されているが、これに限定されるものではなく、ハニカム状のように他の形態で区画することもできる。また、図７には前記下側隔壁７３７によって限定される放電空間Ｃの横断面が四角形であるものとして示されているが、これに限定されるものではなく、三角形や五角形などの多角形または円型や楕円形などで成されるように形成される。
【０１１４】
前記走査電極７２３と共通電極７２２は維持放電のための電極であり、該電極の間でＰＤＰの画像を具現する維持放電が起こる。前記走査電極７２３と共通電極７２２は、アルミニウム、銅などのような導電性金属で形成される。前記共通電極７２２が前記走査電極７２３と平行に延長したというのは、共通電極が走査電極と一定間隔を置いて一緒に配置されるという意味である。
【０１１５】
前記上側隔壁７２７は、隣り合う放電空間Ｃを区画すると同時に、誘電体に形成されて維持放電時に走査電極７２３と共通電極７２２とが直接通電されることを防ぎ、荷電粒子が前記電極７２２、７２３に直接衝突してこれらを損傷させることを防ぎ、荷電粒子を誘導して壁電荷を蓄積する機能を行う。
【０１１６】
本実施形態に係るＰＤＰパネルアセンブリの場合、走査電極および共通電極がすべて隔壁内部に配置されることで、実質的に、図５のＰＤＰパネルアセンブリに比べて有効発光面積が増加する利点がある。また、上述した本実施形態に係るＰＤＰパネルアセンブリは、本発明に係る外光遮蔽層を採用することにより、モアレ現象を効果的に遮蔽することができる。
【０１１７】
以下、発光セル面積に対する発光領域の面積の比率（有効発光面積）によるモアレ現象の発生可否を確認するために、互いに異なる有効発光面積の比率を有する２つの形態のパネルを含むＰＤＰ装置を用いて、モアレ発生可否を観察した結果について説明する。
【０１１８】
まず、下記の表１に示したそれぞれのパネル仕様を有する４２インチのＰＤＰ装置（それぞれＡ型モジュールおよびＢ型モジュールとする）のモアレ現象の発生可否を確認した。
【０１１９】
【表１】
2010266898.tif 000004
【０１２０】
前記の表１で示されるように、Ａ型モジュールのパネルの場合は有効発光面積の比率が約５９％であり、Ｂ型モジュールのパネルの場合は約７５％であった。
【０１２１】
本発明に係る外光遮蔽層のバイアス角度（５°以下）が採用された前記それぞれのＰＤＰ装置のモアレ現象の発生可否を観察した結果、Ａ型モジュールを採用したＰＤＰ装置の場合には前記バイアス角度によって微差が生じたものの、５°以下のバイアス角度下ではすべてモアレ現象が発生した。この反面、Ｂ型モジュールのパネルの場合にはモアレ現象が観察されなかった。
【０１２２】
また、シミュレーションの結果、有効発光面積の比率が少なくとも６０％以上の場合にはモアレ現象が観察されないものと予測された。
【０１２３】
次に、下記の表２に示したそれぞれのパネル仕様を有する５０インチのＰＤＰ装置（それぞれＡ型モジュールおよびＢ型モジュールとする）のモアレ現象の発生可否を確認した。
【０１２４】
【表２】
2010266898.tif 000005
【０１２５】
４０インチの場合と同様、前記表２で示されるように、Ａ型モジュールのパネルの場合は有効発光面積の比率が約５９％であり、Ｂ型モジュールのパネルの場合は約７５％であった。
【０１２６】
本発明に係る外光遮蔽層のバイアス角度（５°以下）が採用された前記それぞれのＰＤＰ装置のモアレ現象の発生可否を観察した結果、Ａ型モジュールを採用したＰＤＰ装置の場合には前記バイアス角度によって微差が生じたものの、５°以下のバイアス角度下ではすべてモアレ現象が発生した。この反面、Ｂ型モジュールのパネルの場合にはモアレ現象が観察されなかった。
【０１２７】
また、シミュレーションの結果、５０インチのＰＤＰ装置の場合でも、有効発光面積の比率が少なくとも６０％以上である場合にはモアレ現象が観察されないものと予測された。
【０１２８】
以下、図５のＰＤＰパネルアセンブリを備えたＰＤＰ装置に対して、バス電極の位置、ブラックストライプの厚さなどの変数によるモアレ発生可否を確認した結果について説明する。
【０１２９】
まず、互いに一定した間隔を有する楔形ブラックストライプで成された遮光パターンを備えた外光遮蔽層の角度を変化させながらモアレ発生可否を調べた。前記ブラックストライプ間の間隔は７３．４μｍであり、前記楔形底面の面積の比率は前記外光遮蔽層の全面に対して３０．０％であった。適用されたＰＤＰパネルアセンブリの発光セルのサイズは９１２×６９３μｍであった。また、前記パネルアセンブリの補助電極と非発光領域間との間隔は１０９μｍであり、前記補助電極の厚さは４８μｍであった。
【０１３０】
テストの結果、モアレ現象は、パネルアセンブリの横方向（水平方向）に対する前記ブラックストライプのバイアス角度が５°以下であるときにはモアレ現象がほぼ発生せず、特に１．５〜３．５°であるときにはモアレ現象が全く発生しなかった。
【０１３１】
次に、互いに一定間隔を有する楔形ブラックストライプで成された遮光パターンを備えた外光遮蔽層の角度を変化させながらモアレ発生可否を調べた。前記ブラックストライプ間の間隔は１０７．５μｍであり、前記楔形底面の面積の比率は前記外光遮蔽層の全面に対して３０．０％であった。適用されたＰＤＰパネルアセンブリの発光セルのサイズは９１２×６９３μｍであった。また、前記パネルアセンブリの補助電極と非発光領域間との間隔は１０９μｍであり、前記補助電極の厚さは４８μｍであった。
【０１３２】
テストの結果、モアレ現象は、パネルアセンブリの横方向（水平方向）に対する前記ブラックストライプのバイアス角度が５°以下であるときにはモアレ現象がほぼ発生せず、特に２．５〜３．５°であるときにはモアレ現象が全く発生しなかった。
【０１３３】
最後に、互いに一定間隔を有する楔形ブラックストライプで成された遮光パターンを備えた外光遮蔽層の角度を変化させながらモアレ発生可否を調べた。前記ブラックストライプ間の間隔は７３．４μｍであり、前記楔形底面の面積の比率は前記外光遮蔽層の全面に対して３０．０％であった。適用されたＰＤＰパネルアセンブリの発光セルのサイズは８１０×８１０μｍであった。また、前記パネルアセンブリの補助電極と非発光領域間との間隔は１５９．５μｍであり、前記補助電極の厚さは６５μｍであった。
【０１３４】
テストの結果、モアレ現象は、パネルアセンブリの横方向（水平方向）に対する前記ブラックストライプのバイアス角度が５°以下であるときにはモアレ現象がほぼ発生せず、特に２．０〜４．０°であるときにはモアレ現象が全く発生しなかった。
【０１３５】
前記テストの結果から分かるように、ブラックストライプ間の間隔および発光セルのサイズなどによってモアレ発生程度に差が生じることはあるが、バイアス角度が約５．０°以下であるときにはブラックストライプ間の間隔や発光セルのサイズに大きく左右されることなく、モアレ現象を効果的に遮蔽することができる。さらに、バイアス角度が約１．５〜４．０°であるときにはモアレ現象をさらに効果的に防ぐことができる。
【０１３６】
上述したように、本発明の好ましい実施形態を参照して説明したが、該当の技術分野において熟練した当業者にとっては、特許請求の範囲に記載された本発明の思想および領域から逸脱しない範囲内で、本発明を多様に修正および変更させることができることを理解することができるであろう。すなわち、本発明の技術的範囲は、特許請求の範囲に基づいて定められ、発明を実施するための最良の形態により制限されるものではない。
【符号の説明】
【０１３７】
１００：ＰＤＰ装置
１１０：ケース
１２０：駆動回路基板
１３０：パネルアセンブリ
１４０：ＰＤＰフィルタ
１５０：カバー
２１０：透明基板
２２０：電磁波遮蔽層
２３０：外光遮蔽層
２３２：支持体
２３４：基材
２３６：遮光パターン
２４０：色補正層
２５０：反射防止層
２７０：フィルタベース
５２０：前面基板
５２２ａ、５２３ａ：透明電極
５２２ｂ、５２３ｂ：バス電極
５２５：前面誘電体層
５２９：保護層
５３０：背面基板
５３３：アドレス電極
５３５：背面誘電体層
５３７：隔壁
５３９：蛍光体層
７２２：上側放電電極
７２３：下側放電電極
７２７：上側隔壁
７３７：下側隔壁
【図１】
2010266898.tif 000006
【図２】
2010266898.tif 000007
【図３】
2010266898.tif 000008
【図４】
2010266898.tif 000009
【図５】
2010266898.tif 000010
【図６】
2010266898.tif 000011
【図７】
2010266898.tif 000012
【図８】
2010266898.tif 000013
【手続補正書】
【提出日】平成22年8月11日(2010.8.11)
【手続補正１】
【補正対象書類名】特許請求の範囲
【補正対象項目名】全文
【補正方法】変更
【補正の内容】
【特許請求の範囲】
【請求項１】
視聴者側から見たときに発光領域と前記発光領域の周辺部である非発光領域とに区分される複数の発光セルを含むパネルアセンブリと、
前記パネルアセンブリ上に配置され、一側に遮光パターンが形成された外光遮蔽層を備えたディスプレイフィルタと
を含むディスプレイ装置において、
前記発光領域の面積が前記発光セルの全体面積の６０％以上であり、前記遮光パターンの進行方向と前記パネルアセンブリの長辺が成すバイアス角度が５°以下であり、
前記パネルアセンブリは、
前面基板と、
前記前面基板に対向する背面基板と、
前記前面基板と背面基板との間に形成されて複数の放電空間を形成する隔壁であって、前記放電空間の側面で面放電を引き起こす複数の電極を含む隔壁と
を含むことを特徴とするディスプレイ装置。
【請求項２】
前記バイアス角度が１．５〜４°であることを特徴とする請求項１に記載のディスプレイ装置。
【請求項３】
前記ＰＤＰパネルアセンブリが、
透明な前面基板と、
前記前面基板と平行に配置された背面基板と、
前記前面基板と背面基板との間に配置されて前記放電空間を区画する上側隔壁と、
前記放電空間を囲むように前記上側隔壁内に配置された第１放電電極および第２放電電極と、
前記上側隔壁と背面基板との間に配置された下側隔壁と、
前記放電空間内に配置された蛍光体層と、
前記放電空間の内部に注入されている放電ガス
とを含むことを特徴とする請求項１に記載のディスプレイ装置。
【請求項４】
前記上層隔壁および下層隔壁は格子状であることを特徴とする請求項３に記載のディスプレイ装置。
【請求項５】
前記前面基板または背面基板のうちいずれか１つの基板にはブラックストライプが形成されていることを特徴とする請求項１に記載のディスプレイ装置。
【請求項６】
前記非発光領域が、前記隔壁または前記ブラックストライプに対応することを特徴とする請求項５に記載のディスプレイ装置。
【請求項７】
前記前面基板には放電のために透明電極パターンが形成されていることを特徴とする請求項１に記載のディスプレイ装置。
【請求項８】
前記透明電極パターンが、前記透明電極パターンの信号遅延を防ぐために不透明な金属で成され、平面上から見たときに前記発光領域の一面に平行するように前記発光領域を通過するバス電極パターンをさらに含むことを特徴とする請求項７に記載のディスプレイ装置。
【請求項９】
前記バス電極パターンが、平面上から見たときに前記バス電極パターンと平行な発光領域の一面から所定距離Ｈ１だけ離隔しており、前記Ｈ１は次の数式を満たすことを特徴とする請求項８に記載のディスプレイ装置。
Ｈ１≦０．３×Ｌ１
（前記Ｌ１は、前記バス電極パターンと平行な発光領域の一面と連結している他面の長さ）
【請求項１０】
前記外光遮蔽層が、
透明樹脂材質の基材と、
前記機材の一面に一定周期で互いに離隔して形成された遮光パターンと
を含むことを特徴とする請求項１に記載のディスプレイ装置。
【請求項１１】
前記遮光パターンが、楔形−ブラックストライプ形状、楔形−ブラックマトリックス形状、楔形−ブラック波形状、フラット−ブラックストライプ形状、フラット−ブラックマトリックス形状またはフラット−ブラック波形状であることを特徴とする請求項１０に記載のディスプレイ装置。
【請求項１２】
前記ＰＤＰフィルタが、前記パネルアセンブリの一側と粘着剤によって接合されていることを特徴とする請求項１に記載のディスプレイ装置。
【請求項１３】
視聴者側から見たときに発光領域と前記発光領域の周辺部である非発光領域とに区分される複数の発光セルを含むパネルアセンブリと、
前記パネルアセンブリの視聴者側に付着し、一側に遮光パターンが形成された外光遮蔽層と
を含むディスプレイ装置であって、
前記発光領域の面積が前記発光セルの全体面積の６０％以上であり、前記遮光パターンの進行方向と前記パネルアセンブリの長辺が成すバイアス角度が５°以下であり、
前記パネルアセンブリは、
前面基板と、
前記前面基板に対向する背面基板と、
前記前面基板と背面基板との間に形成されて複数の放電空間を形成する隔壁であって、前記放電空間の側面で面放電を引き起こす複数の電極を含む隔壁と
を含むことを特徴とするディスプレイ装置。